(57)【要約】      （修正有）【課題】省スペースかつ簡易な構造で、狭い作業場でもパレットを容易に移動可能とし、かつ、積み込み時にはパレットが移動しないパレット移動装置を提供する。【解決手段】回転体を下部に有するパレットの移動体２をパレット６の１辺に対し斜め方向に設置すると共に、パレットの４辺の内、移動方向の片末端（物品を積みおろしする側）に相接する２辺がはまるように直交する固定式のパレットストッパー１と反対側の移動方向の少なくとも１辺に取り外し可能なパレットストッパー３を設ける。【選択図】図２
0003195706.tif 000002
【実用新案登録請求の範囲】
【請求項１】
回転体を下部に有するパレットの移動体と、前記移動体をパレットの１辺に対し垂直方向ではなく、パレットの４辺の内、移動方向の片末端に相接する２辺がはまるように直交する固定式のパレットストッパーと反対側の移動方向の少なくても１辺に取り外し可能なパレットストッパーを設けることを特徴とするパレット移動装置。
【請求項２】
取り外し可能なパレットストッパーに、パレットが当たる位置に留め具を設けることを特徴とする請求項１記載のパレット移動装置。
【考案の詳細な説明】
【技術分野】
【０００１】
本考案は、高価で複雑な装置を用いず、製品を積載したパレットを狭い場所から容易に移動させることを可能とするパレット移動装置に係る考案である。
【背景技術】
【０００２】
工場等において原料・製品等の物品を移動する手段として、パレットに物品を積載し、これをフォークリフトによって移動することが良く行われている。しかしながら、物品の積み込み作業を室内で行う場合、パレットをあらかじめフォークリフトが進入できる位置に設置し、作業を行う事が望ましいが、もしそのようなスペースが確保出来ない場合には、積み込み作業をしている位置からフォークリフトが進入できる位置まで物品が積載された重量の大きいパレットを移動させる必要がある。
【０００３】
この際、例えば、回転体を下部に有するパレットの移動体をパレットの１辺と垂直方向に設け、室内の積載する側に、パレットを積載した際にこのパレットの４辺の内、積載する側の１辺を押えるように固定式のストッパーを設け、物品を積載する際はパレットの移動を静止しつつ、積載後は移動体をレールに沿って移動させることにより、パレットを縦横直線的に移動させることが良く行われるが、この場合、パレットはフォークリフトの移動の邪魔とならないよう十分な空間がある場所まで縦又は横方向に移動させる必要がある。これを回避する方法の一つとして、パレットの移動体をパレットの縦横方向でなく、斜め方向に設置し、これに併せてパレットを斜め方向に移動させることにより、積載場所からフォークリフトの移動可能な空間まで、最短距離でパレットを移動させることが可能となるので、従来パレットの移動体を設置する空間がなく、室内から物品を屋外のパレットまで手作業で移動させなければならなかった場所にもパレットの移動体を設置することが可能となる。
【０００４】
しかしながら、回転体を下部に有するパレットの移動体をパレットに対し縦横方向に設置した場合は、前述の固定式ストッパーを設置すれば移動方向にさえ力をかけなければパレットが移動することはなかったが、パレットに対し斜め方向に設置した場合、前述の固定式ストッパーを設置しても、下部の回転体の作用により移動方向以外の力によってパレットが容易に移動してしまうといった問題があった。そのため、機械による自動積み込み作業をしている際、衝撃によりパレットが移動し、その結果安全装置が作動し積み込み作業が停止するといった事態が多発した。このような事態を防ぐ為、回転体を下部に有するパレットの移動体の内、回転体部分に停止装置を組み込む方法が考えられるが（例えば引用文献１）、これらの装置を用いた場合は移動手段自身が大きくなってしまい、作業スペースを却って圧迫してしまうといった問題があった。
【０００５】
【特許文献１】特開平１１−１１５６１４号公報
【考案の開示】
【考案が解決しようとする課題】
【０００６】
本考案は、これらの問題を解決する為、省スペースかつ簡易な構造で、狭い作業場でもパレットを容易に移動可能とし、かつ、積み込み時にはパレットが移動しないことを特徴とするパレット移動装置を提供する。
【課題を解決するための手段】
【０００７】
本考案者らは、回転体を下部に有するパレットの移動体をパレットの１辺に対し垂直方向ではなく、パレットの４辺の内、移動方向の片末端に相接する２辺がはまるように直交する固定式のパレットストッパーと反対側の移動方向の少なくても１辺に取り外し可能なパレットストッパーを設けることにより前記課題が解決可能であることを見出した。更には、取り外し可能なパレットストッパーにパレットが当たる位置に留め具を設けることで、製品等をパレットに積載後、取り外し可能なパレットストッパーを容易に取り外すことが可能となる。
【考案の効果】
【０００８】
本考案のパレット移動装置によれば、省スペースかつ簡易な構造で、狭い作業場でもパレットを容易に移動可能とし、かつ、積み込み時にはパレットが移動しないことを特徴とするパレット移動装置が提供可能となる。
【考案を実施するための最良の形態】
【０００９】
本考案における回転体を下部に有するパレットの移動体とは、移動体の下部に回転体を有し、移動体自身は床面に設置したレールに沿って移動するような形状としたものであればどのようなものでも良い。
【００１０】
移動体の下部の回転体として例えば、車輪や円筒形のローラーを一定間隔で設けたもの等が例示される。この中でも円筒形のローラーを一定間隔で設けたものを用いる場合、移動体の移動方向の自由度が向上する（車輪に比べより急な角度で移動することが可能となる）ことから好ましい。また、回転体の材質は特に限定されないが、重量物が積載されることから、強度や耐久性の点から金属製であることが好ましい。
【００１１】
この回転体を下部に有するパレットの移動体はパレットの１辺に対し垂直方向ではなく、斜め方向に設置する。具体的には、パレットは通常正方形であるが、この正方形を構成する各辺に対し垂直（移動方向と異なる２辺に対しては水平）とならない角度で設置する。このように設置することにより、パレットが縦横直線的に移動せず、斜め方向に移動する。垂直あるいは水平となる角度で設置した場合、パレットが縦横直線的に移動するため、移動距離が長くなり好ましくない。
【００１２】
本考案においては、パレットの４辺の内、移動方向の片末端に相接する２辺がはまるように直交する固定式のパレットストッパーを設置する。移動方向の片末端とは、パレットに物品を積みおろしする側を言う。また、パレットがはまるよう、とは、パレットの２辺が固定式のパレットストッパーに支えられ、固定式のパレットストッパーより後へと移動しない状態を言い、必ずしも各辺の全てがはまるような長さや大きさのパレットストッパーが必要ではない。この固定式パレットストッパーの材質はパレットをしっかりと止めることが可能であれば特に限定されないが、強度や耐久性の点から金属製であることが好ましい。また、固定式パレットストッパーの長さ、高さ、形状は前述の通りパレットがはまるものであればどのようなものでも良い。
【００１３】
本考案においては前述した固定式パレットストッパーと反対側の移動方向のうち少なくとも１辺に取り外し可能なパレットストッパーを設けることを特徴とする。この取り外し可能なパレットストッパーは移動方向のうちどちらにつけても良いが、移動方向の比率を縦横で現した場合に、移動比率が高い方向へ取り付けることが好ましい。また、この取り外し可能なパレットストッパーは１辺だけでなく、必要に応じ残りもう１辺に取り付けても良い。また、その設置位置もパレットの移動を防ぐ場所であればどこでも良く、後述する形状に併せて適宜決定される。
【００１４】
取り外し可能なパレットストッパーの形状、大きさはパレットの１辺に当たることでパレットの移動を防ぐものであればどのようなものでも良く、例えば円柱やパレットの１辺の長さの１／３の大きさ程度のコの字状にしたパイプ等が例示される。また、その材質もどのようなものでもよいが、強度や耐久性の点から金属製であることが好ましい
【００１５】
取り外し可能なパレットストッパーには、パレットの当たる位置に留め具を設けることが好ましい。留め具を設けることによって、パレットに物品を積載後、パレットを移動させる際に取り外し可能なパレットストッパーを容易に取り外すことが可能となる。この留め具は取り外し可能なパレットストッパーから出っ張る結果、この留め具部分が直接パレットに当たるような形とするものであればどのような形状や大きさのものでも良く、取り外し可能なパレットストッパーの一部に布や薄い鉄板等を巻きつけたものが例示される。また、その材質もどのようなものでもよいが、強度や耐久性の点から金属製であることが好ましい
【００１６】
以上詳述したように、本考案によれば、省スペースかつ簡易な構造で、狭い作業場でもパレットが容易に移動可能となり、かつ、積み込み時にはパレットが移動しないといった特徴を有するパレット移動装置が提供可能となる。
【図面の簡単な説明】
【００１７】
【図１】本考案のパレット移動装置の具体的一実施例の上面図である。
【図２】本考案のパレット移動装置の具体的一実施例の内、パレットを積載した図である。
【実施例】
【００１８】
以下添付図に従って、一実施例を説明する。本考案のパレット移動装置は、例えば図１に示す通り、回転体を下部に有するパレットの移動体２をパレットの１辺に対し垂直方向ではなく、回転体を下部に有するパレットの移動体２はレール５の上を転がることで、パレットが移動可能となる。更に、移動方向の片末端に、互いが直交する固定式のパレットストッパー１と反対側の移動方向に取り外し可能なパレットストッパー３を設けた。また、取り外し可能なパレットストッパー３の中央部には留め具４を設けた。
【００１９】
図２は本考案のパレット移動装置にパレットを載せた際の図である。パレット６は回転体を下部に有するパレットの移動体２の上に載せられた上で、固定式のパレットストッパー１及び取り外し可能なパレットストッパー３によって固定されている。そして、取り外し可能なパレットストッパー３の中央部には、パレットに当たるように留め具４が設置されている。以上、詳述したような構成とすることによって、省スペースかつ簡易な構造で、狭い作業場でもパレットが容易に移動可能であり、かつ、積み込み時にはパレットが移動しないといった特徴を有するパレット移動装置が提供可能となる。
【符号の説明】
【００２０】
１：固定式のパレットストッパー
２：パレットの移動体
３：取り外し可能なパレットストッパー
４：留め具
５：レール
６：パレット
【図１】
0003195706.tif 000003
【図２】
0003195706.tif 000004